(57)【要約】【課題】フィルタに付着した細塵を容易に除去して、吸込効率の低下を防止することができる電気掃除機を提供する。【解決手段】掃除機本体２０の接続口（吸込口）４３から塵埃を吸引するための電動送風機３３の吸気口３３Ａに至る風路中に吸込口４３から吸引される空気と塵埃とを分離する塵埃分離部６０と、この塵埃分離部６０によって分離された塵埃を集塵する集塵室部（集塵部）５５とを備えた電気掃除機であって、塵埃分離部６０は、一端開口６２Ａが吸込口４３に連通すると共に後端開口６２Ｂが集塵室部５５に連通した筒状の管部（通路）６２と、通路６２の周壁に設けられた開口６４と、この開口６４に取り付けられたネットフィルタ（第１フィルタ）Ｆ２とを有し、周壁の開口６４と電動送風機３３の吸気口３３Ａとを連通する連通風路（負圧室部）５６を設け、集塵部５５を区画形成する壁に負圧室部５６に連通した通気開口５９を設けた。【選択図】　図３
2004113374.tif 000002
【特許請求の範囲】
【請求項１】
掃除機本体の吸込口から塵埃を吸引するための電動送風機の吸気口に至る風路中に前記吸込口から吸引される空気と塵埃とを分離する塵埃分離部と、この塵埃分離部によって分離された塵埃を集塵する集塵部とを備えた電気掃除機であって、
前記塵埃分離部は、一端開口が前記吸込口に連通すると共に他端開口が前記集塵部に連通した筒状の通路と、前記通路の周壁に設けられた開口と、該開口に取り付けられた第１フィルタとを有し、
前記周壁の開口と前記電動送風機の吸気口とを連通する連通風路を設け、
前記集塵部を区画形成する壁に前記連通風路に連通した通気開口を設けたことを特徴とする電気掃除機。
【請求項２】
請求項１に記載の電気掃除機において、前記集塵部を前記塵埃分離部の下側位置に設け、前記集塵部の上壁に前記通気開口を設けると共に、該通気開口には第２フィルタを取り付けたことを特徴とする電気掃除機。
【発明の詳細な説明】
【０００１】
【発明の属する技術分野】
この発明は、吸引された塵埃を分離する塵埃分離部と、塵埃を集塵する集塵部とを備えた電気掃除機に関するものである。
【０００２】
【従来の技術】
従来の電気掃除機として、図８に示すサイクロン方式の電気掃除機が知られている（例えば、特許文献１参照）。
【０００３】
かかる電気掃除機は、上部に上部開口１ａが形成されたダストカップ１と、このダストカップ１内を負圧にする電動送風機２等とを備えている。ダストカップ１の上部開口１ａにはフィルタ３が着脱自在に取り付けられ、周壁１ｂには吸気口４が形成されている。そして、上部開口１ａは電動送風機２に連通し、吸気口４は塵埃を吸引する吸込口体５に吸気通路６を介して連通している。
【０００４】
そして、吸込口体５から吸引された塵埃は吸気通路６を介してダストカップ１の吸気口４からダストカップ１内に吸引される。このダストカップ１内では旋回流が発生して塵埃と空気が分離され、空気のみがダストカップ１の上部開口１ａから電動送風機２に吸引されて外部へ排気される。このとき、ダストカップ１内で分離されなかった細塵は、上部開口１ａに取り付けられたフィルタ３に付着していた。
【０００５】
【特許文献１】
特開２００１−１０４２２３号公報（段落３８、４５、図１）
【０００６】
【発明が解決しようとする課題】
ところで、このような電気掃除機にあっては、フィルタ３に付着した細塵を除去するには、フィルタ３をダストカップ１の上部開口１ａから取り外し、このフィルタ３を洗浄していた。そのため、定期的にフィルタ３を洗浄する必要があり、手間がかかるという問題があった。
【０００７】
また、このフィルタ３は洗浄されるまで付着した細塵が除去されないので、定期的に洗浄をしないと徐々に目詰まりをしてゆき、吸込効率が低下するという問題も生じていた。
【０００８】
この発明は、上記問題に鑑みてなされたものであり、フィルタに付着した細塵を容易に除去して、吸込効率の低下を防止することができる電気掃除機を提供することを目的としている。
【０００９】
【課題を解決するための手段】
上記目的を達成するために、この発明の電気掃除機は、掃除機本体の吸込口から塵埃を吸引するための電動送風機の吸気口に至る風路中に、この吸込口から吸引される空気と塵埃とを分離する塵埃分離部と、この塵埃分離部によって分離された塵埃を集塵する集塵部とを備え、塵埃分離部は、一端開口が吸込口に連通すると共に他端開口が集塵部に連通した筒状の通路と、通路の周壁に設けられた開口と、この開口に取り付けられた第１フィルタとを有し、周壁の開口と電動送風機の吸気口とを連通する連通風路を設け、集塵部を区画形成する壁に連通風路に連通した通気開口を設けたことを特徴としている。
【００１０】
【発明の実施の形態】
以下、この発明に係る電気掃除機の実施の形態を図面に基づいて説明する。
【００１１】
図１において、２０は掃除機本体であり、この掃除機本体２０にはホース２１の一端が着脱自在に接続され、その他端には手元操作管２２が設けられている。手元操作管２２には延長管２３が着脱自在に接続され、延長管２３の先端部には吸込口体２４が着脱自在に接続されている。手元操作管２２には操作部２２Ａが設けられており、この操作部２２Ａには図示しない操作スイッチが設けられている。
【００１２】
掃除機本体２０は、図２ないし図４に示すように、本体ケース３０と、本体ケース３０に着脱自在に載置される集塵容器（ダストカップ）５０と、後部が本体ケース３０にヒンジ結合されて上下方向に開閉可能となっている蓋体４０とを備えている。
【００１３】
本体ケース３０は、電動送風機３３を内蔵した電動部３４を有しており、この電動部３４の前面の下部には前方へ突出した皿状の載置部３５が設けられている。この載置部３５には集塵容器５０が着脱自在に載置され、蓋体４０を閉じた際にこの蓋体４０と載置部３５とが集塵容器５０を挟持して固定するようになっている。
【００１４】
また、電動部３４の前面は開口され、この開口３４Ａには後述するフィルタ８０を押さえるための枠（図示せず）が放射状に設けられている。開口３４Ａは電動送風機３３の吸気口３３Ａに対向すると共に連通している。
【００１５】
本体ケース３０の両側面には、前側の上部から後部側の下部に亘って膨出部３６が形成され、この膨出部３６の下部は後輪３７を回転自在に保持している。また膨出部３６と本体ケース３０の両側面の前側には複数の排気孔３８が形成されている。この排気孔３８は図示しない排気風路を介して電動送風機３３の排気口３３Ｂとを連通しており、電動送風機３３の排気口３３Ｂから排気される空気は排気風路を介して排気孔３８から外へ排気されるようになっている。また、本体ケース３０の電動部３４には電動送風機３３の下側に図示しないバッテリーが内蔵されている。
【００１６】
蓋体４０は、平面視がほぼ楕円形に形成された天板４１を有し、この天板４１の周囲に周壁４２が一体に形成されている。周壁４２の前部には集塵ホース２１を着脱自在に接続する接続口（吸込口）４３を有する接続パイプ４４が設けられている。この接続パイプ４４は前後方向に延びており、その後端４５は開口している。
【００１７】
集塵容器５０は、図５ないし図７に示すように、後面（図５において右側）に開口５１を有し且つ前面に吸気口５２を有する容器ケース体５３と、この容器ケース体５３の吸気口５２の下に一体形成された把持部５４とを有している。
【００１８】
容器ケース体５３は、下部に形成した集塵室部（集塵部）５５と、この集塵室部５５の上に形成した負圧室部（連通風路）５６と、この負圧室部５６内に設けられた塵埃分離部６０と、この塵埃分離部６０で分離された塵埃を集塵室部５５へ案内する案内管７０とを有している。ここで、集塵室部５５は塵埃分離部６０の下側位置に設けられている。
【００１９】
そして、集塵室部５５の底部には、底板５７が軸Ｊ回りに開閉可能に取り付けられており、この底板５７を開けることにより集塵室部５５内に蓄積された塵埃が捨てられるようになっている。
【００２０】
また、集塵室部５５と負圧室部５６とを区画する集塵室部５５の天板（上壁）５８には、上下方向に貫通した通気開口５９が形成されて、集塵室部５５と負圧室部５６とを連通させている。また、この通気開口５９には、図７に示すようにネットフィルタ（第２フィルタ）Ｆ１が取り付けられている。
【００２１】
天板５８の通気開口５９の後方には、案内管７０の下端が一体に接続された接続穴５８Ａが形成されている。この接続穴５８Ａの下方には集塵室部５５内で旋回流を発生させるためのガイド壁Ｇが設けられている。
【００２２】
また、集塵室部５５の後壁部５５Ａは、容器ケース体５３の開口５１より内側に引き込んでおり、その開口５１内にフィルタ８０（図３参照）が着脱自在に装着されるようになっている。
【００２３】
塵埃分離部６０は、筒状の風路６１を形成した管部（通路）６２と、この管部６２の他端開口６２Ｂ側に設けた突当て部６３とを有している。そして、管部６２の一端開口６２Ａの径は容器ケース体５３の吸気口５２の径よりも大きく形成され、この管部６２の一端開口６２Ａ内に容器ケース体５３の吸気口５２が位置するように接続されている。また、管部６２の他端開口６２Ｂの径は、容器ケース体５３の吸気口５２の径とほぼ同一に設定され、管部６２の径は一端から他端にいくにしたがって直線的に漸減している。なお、管部６２の他端開口６２Ｂの径は吸気口５２の径より小さくてもよい。
【００２４】
また、管部６２の風路６１は前後方向に直線状に延びており、蓋体４０の接続パイプ４４と、容器ケース体５３の吸気口５２と、管部６２と、容器ケース体５３の開口５１と、電動送風機３３の吸気口３３Ａとが一直線上に配置されている。
【００２５】
さらに、管部６２の周壁には複数の開口６４が全周に亘って一様に設けられており、この開口６４には、図６に示すようにネットフィルタ（第１フィルタ）Ｆ２が取り付けられている。
【００２６】
ここで、管部６２は、円形の枠体Ｗ１、Ｗ２と、この枠体Ｗ１、Ｗ２を連結した複数の枠体Ｗ３とで構成され、開口６４は各枠体Ｗ１〜Ｗ３によって囲まれた空間となっている。また、風路６１は枠体Ｗ３によって囲まれて形成されている。
【００２７】
そして、管部６２の風路６１は、管部６２の開口６４と容器ケース５３の負圧室部５６と本体ケース３０の電動部３４の開口３４Ａを介して、電動送風機３３の吸気口３３Ａに連通している。
【００２８】
つまり、負圧室部５６は、塵埃分離部６０の開口６４と電動送風機３３の吸気口３３Ａとの間に設けられている。
【００２９】
また、管部６２の風路６１の延びる方向と蓋体４０の接続パイプ４４の延びる方向とが一直線上となっており、管部６２の風路６１の延びる方向に電動送風機３３の吸気口３３Ａが向き合っている。
【００３０】
突当て部６３は、管部６２の他端開口６２Ｂの上部から斜め下方に向かって延びた傾斜壁部６３Ａと、この傾斜壁部６３Ａの一端から湾曲して下方に延びると共に管部６２の他端開口６２Ｂに対向する突当て壁部６３Ｂと、傾斜壁部６３Ａ及び突当て壁部６３Ｂの両側に形成された側壁部６３Ｃとを有している。また、突当て部６３は、管部６２の他端開口６２Ｂに接合された開口６３Ｄを有すると共に、下方に向いた開口６３Ｅを有している。
【００３１】
案内管７０は、上下方向に延びていて突当て部６３の開口６３Ｅと天板５８の接続穴５８Ａを介して、塵埃分離部６０と集塵室部５５とを連通している。
【００３２】
次に、上記のように構成される電気掃除機の動作について説明する。
【００３３】
先ず、図４に示すように、集塵容器５０を本体ケース３０の載置部３５に載置して蓋体４０を閉じ、ホース２１を蓋体４０の接続口４３に接続する。そして、操作部２２Ａの図示しないスイッチを操作すると電動送風機３３が駆動される。
【００３４】
この電動送風機３３の駆動により、本体ケース３０の開口３４Ａを介して容器ケース体５３の負圧室部５６が負圧となる。この負圧が管部６２の開口６４、管部６２の風路６１、容器ケース体５３の吸気口５２、蓋体４０の接続パイプ４４、ホース２１、延長管２３および吸込口体２４に作用し、吸込口体２４から空気とともに塵埃が吸引されていく。
【００３５】
この吸引された塵埃および空気が延長管２３およびホース２１を介して蓋体４０の接続口４３へ吸引されていく。この接続口４３へ吸引された塵埃および空気は、集塵容器５０の吸気口５２を通って塵埃分離部６０の管部６２の風路６１に吸引されていく。
【００３６】
風路６１に吸引された空気は、管部６２の開口６４のネットフィルタＦ２を介して容器ケース体５３の負圧室部５６に吸引されていく。
【００３７】
また、風路６１に吸引された空気の一部は、突当て部６３および案内管７０を介して集塵室部５５内へ導入され、この導入された空気は集塵室部５５のガイド壁Ｇによって旋回流となり、集塵室部５５内へ導入された塵埃を圧縮していく。
【００３８】
そして、この集塵室部５５内に導入された空気は、旋回流となった後集塵室部５５の天板５８の通気開口５９を介して容器ケース体５３の負圧室部５６に吸引されていく。
【００３９】
このように、開口６４を介して排気される空気と、通気開口５９を介して排気される空気とが負圧室部５６において合流する。そして、さらに容器ケース体５３の開口５１に装着したフィルタ８０を介して電動送風機３３の吸気口３３Ａに吸引されていく。
【００４０】
一方、管部６２の風路６１に吸引された所定以上の質量のある塵埃は、その風路６１が前後方向に直線状に延びていることにより、風路６１を直進して突当て部６３の突当て壁部６３Ｂに突き当たるとともに案内管７０により集塵室部５５内へ導入されていく。すなわち、塵埃分離部６０により空気と塵埃が分離されることになる。
【００４１】
また、重量の軽い微細な塵埃は、管部６２の風路６１を直進することなく開口６４のネットフィルタＦ２を通る空気に乗って流れていくので、ネットフィルタＦ２に付着していく。
【００４２】
そして、微細な塵埃の付着によりネットフィルタＦ２の目詰まりが大きくなると、そのネットフィルタＦ２を通る風量が減少していく。このとき、減少した風量と相対して容器ケース体５３の負圧室部５６の負圧が大きくなる。そのため、天板５８の通気開口５９を介して負圧室部５６に連通している集塵室部５５内の負圧も大きくなる。これにより、管部６２の風路６１を直進する空気の風速が大きくなり、その直進する風量も増加することになる。
【００４３】
そして、管部６２の風路６１を直進する風速が大きくなると、その直進する空気がネットフィルタＦ２に付着した塵埃を剥がしていく。この際、管部６２の径が開口６２Ｂに行くにしたがって直線的に漸減していることにより、ネットフィルタＦ２の全面に風路６１を直進する風が一様に当たりやすくなり、このためネットフィルタＦ２に付着した塵埃は剥がれ易いものとなる。
【００４４】
剥がれた塵埃は突当て部６３および案内管７０を介して集塵室部５５内へ導入されて蓄積されていく。このように、ネットフィルタＦ２の目詰まりが所定量になると、ネットフィルタＦ２に付着した細塵が風路６１を流れる空気によって剥がされ、容易に除去することができる。そして、ネットフィルタＦ２の目詰まりが解消されるので吸込効率の低下を防止することができる。
【００４５】
また、目詰まりによりネットフィルタＦ２を通る風量が減少しても、管部６２の風路６１を直進する風量が増加するので、電動送風機３３が吸引する風量は一定に保たれる。このため、ネットフィルタＦ２の目詰まりに拘わりなく、常に所定の吸引力で塵埃を吸引することができることになって、さらに吸込効率の低下を防止することができる。
【００４６】
さらに、塵埃分離部６０の下側位置に集塵室部５５を設けると共に、集塵部５５の天板５８に吸気口５９を設けたことにより、集塵室部５５と負圧室部５６とを連通させる通気開口５９が天板５８を上下方向に貫通する。これにより、通気開口５９に取り付けられたネットフィルタＦ１に付着した塵埃は、自重により下方に落下して集塵室部５５内に蓄積される。そして、ネットフィルタＦ１に付着した塵埃も容易に除去することができて目詰まりしにくく、吸込効率の低下を防止することができる。
【００４７】
【発明の効果】
この発明によれば、フィルタに付着した細塵を容易に除去して、吸込効率の低下を防止することができる電気掃除機を提供することができる。
【図面の簡単な説明】
【図１】この発明に係る電機掃除機の外観を示した斜視図である。
【図２】図１に示す電気掃除機の掃除機本体を示した斜視図である。
【図３】図２に示す掃除機本体の一部を断面にした側面図である。
【図４】蓋体を開けた状態を示した掃除機本体の側面図である。
【図５】集塵容器の構成を示した縦断面図である。
【図６】集塵容器を示した斜視図である。
【図７】集塵容器の構成を示した平断面図である。
【図８】従来の電気掃除機の構成を示した説明図である。
【符号の説明】
２０　　　　　　　掃除機本体
３３　　　　　　　電動送風機
３３Ａ　　　　　　吸気口
４３　　　　　　　吸込口（接続口）
５５　　　　　　　集塵部（集塵室部）
５６　　　　　　　連通風路（負圧室部）
５９　　　　　　　通気開口
６０　　　　　　　塵埃分離部
６２　　　　　　　通路（管部）
６２Ａ　　　　　　一端開口
６２Ｂ　　　　　　他端開口
６４　　　　　　　開口
Ｆ１　　　　　　第２フィルタ（ネットフィルタ）
Ｆ２　　　　　　第１フィルタ（ネットフィルタ）
【図１】
2004113374.tif 000003
【図２】
2004113374.tif 000004
【図３】
2004113374.tif 000005
【図４】
2004113374.tif 000006
【図５】
2004113374.tif 000007
【図６】
2004113374.tif 000008
【図７】
2004113374.tif 000009
【図８】
2004113374.tif 000010
【手続補正書】
【提出日】平成15年3月25日(2003.3.25)
【手続補正１】
【補正対象書類名】明細書
【補正対象項目名】特許請求の範囲
【補正方法】変更
【補正の内容】
【特許請求の範囲】
【請求項１】
掃除機本体の吸込口から電動送風機の吸気口に至る風路中に設けられ前記吸込口から吸引される空気と塵埃とを分離する塵埃分離部と、この塵埃分離部によって分離された塵埃を集塵する集塵部とを備え、
前記塵埃分離部は、一端開口が前記吸込口に連通し他端開口が前記集塵部に連通すると共に周面に第１フィルタが形成された筒状の通路を有し、
前記通路内の空気を前記第１フィルタを介して電動送風機に吸い込むと共に、前記通路内の塵埃を前記通路の他端開口から集塵部に集塵する電気掃除機であって、
前記集塵部を区画形成する壁には、前記電動送風機の吸気口に連通する通気開口を設けたことを特徴とする電気掃除機。
【請求項２】
掃除機本体の吸込口から電動送風機の吸気口に至る風路中に設けられ前記吸込口から吸引される空気と塵埃とを分離する塵埃分離部と、この塵埃分離部によって分離された塵埃を集塵する集塵部とを備え、
前記塵埃分離部は周面に第１フィルタが形成された筒状の通路を有し、前記吸込口から前記通路の一端開口を介して通路内に空気と塵埃を吸引させ、かつ、前記第１フィルタから通路内の空気を吸引させることによって塵埃を慣性でその通路内を直進させて通路の他端開口から集塵部に集塵する電気掃除機であって、
前記集塵部を区画形成する壁に前記電動送風機の前記吸気口に連通する通気開口を設け、前記通路内の空気の一部が前記集塵部を介して前記電動送風機に吸引されることを特徴とする電気掃除機。
【請求項３】
請求項１又は請求項２に記載の電気掃除機において、前記通気開口は、前記第１フィルタと前記電動送風機の吸気口とを連通する前記連通風路に連通することを特徴とする電気掃除機。
【請求項４】
請求項１ないし請求項３のいずれか一つに記載の電気掃除機において、前記集塵部を前記塵埃分離部の下側位置に設け、前記集塵部の上壁に前記通気開口を設けると共に、該通気開口には第２フィルタを設けたことを特徴とする電気掃除機。
【手続補正２】
【補正対象書類名】明細書
【補正対象項目名】０００９
【補正方法】変更
【補正の内容】
【０００９】
【課題を解決するための手段】
上記目的を達成するために、この発明の電気掃除機は、掃除機本体の吸込口から電動送風機の吸気口に至る風路中に設けられ吸込口から吸引される空気と塵埃とを分離する塵埃分離部と、この塵埃分離部によって分離された塵埃を集塵する集塵部とを備え、塵埃分離部は、一端開口が吸込口に連通し他端開口が集塵部に連通すると共に周面に第１フィルタが形成された筒状の通路を有し、通路内の空気を第１フィルタを介して電動送風機に吸い込むと共に、通路内の塵埃を通路の他端開口から集塵部に集塵する電気掃除機であって、集塵部を区画形成する壁には、電動送風機の吸気口に連通する通気開口を設けたことを特徴としている。




【手続補正書】
【提出日】平成15年6月23日(2003.6.23)
【手続補正１】
【補正対象書類名】明細書
【補正対象項目名】特許請求の範囲
【補正方法】変更
【補正の内容】
【特許請求の範囲】
【請求項１】
掃除機本体の吸込口から電動送風機の吸気口に至る風路中に形成された負圧室部内に設けられ前記吸込口から吸引される空気と塵埃とを分離する塵埃分離部と、前記負圧室部と区画され前記塵埃分離部によって分離された塵埃を捕集する集塵部とを備え、
前記塵埃分離部は、一端開口が前記吸込口に連通し他端開口が案内管を介して前記集塵部に連通すると共に周面に第１フィルタが形成された筒状の通路を有し、
前記通路内の空気を前記第１フィルタを介して電動送風機に吸い込むと共に、前記通路内の塵埃を前記通路の他端開口から前記案内管を介して集塵部に集塵する電気掃除機であって、
前記集塵部を区画形成する上壁には、この上壁を上下方向に貫通し前記電動送風機の吸気口に連通する通気開口を設け、該通気開口には第２フィルタを取り付けたことを特徴とする電気掃除機。
【請求項２】
掃除機本体の吸込口から電動送風機の吸気口に至る風路中に形成された負圧室部内に設けられ前記吸込口から吸引される空気と塵埃とを分離する塵埃分離部と、前記負圧室部と区画され前記塵埃分離部によって分離された塵埃を捕集する集塵部とを備え、
前記塵埃分離部は、一端開口が前記吸込口に連通し他端開口が前記集塵部に連通すると共に周面に第１フィルタが形成された筒状の通路と、前記他端開口に対向する突当て壁部とを有し、
前記通路内の空気を前記第１フィルタを介して電動送風機に吸い込むと共に、前記通路内の塵埃を前記通路の他端開口から前記突当て壁部に当てて集塵部に導入する電気掃除機であって、
前記集塵部を区画形成する上壁には、この上壁を上下方向に貫通し前記電動送風機の吸気口に連通する通気開口を設け、該通気開口には第２フィルタを取り付けたことを特徴とする電気掃除機。
【請求項３】
掃除機本体の吸込口から電動送風機の吸気口に至る風路中に設けられ前記吸込口から吸引される空気と塵埃とを分離する塵埃分離部と、この集塵分離部の下方に設けられ前記塵埃分離部によって分離された塵埃を捕集する集塵部とを備え、
前記塵埃分離部は、一端開口が前記吸込口に連通し他端開口が前記集塵部に連通すると共に周面に第１フィルタが形成された筒状の通路を有し、
前記通路内の空気を前記第１フィルタを介して電動送風機に吸い込むと共に、前記通路内の塵埃を前記通路の他端開口から集塵部に導入して集塵する電気掃除機であって、
前記集塵部を区画形成する上壁には、この上壁を上下方向に貫通し前記電動送風機の吸気口に連通する通気開口を設け、該通気開口には第２フィルタを取り付けたことを特徴とする電気掃除機。
【手続補正２】
【補正対象書類名】明細書
【補正対象項目名】０００９
【補正方法】変更
【補正の内容】
【０００９】
【課題を解決するための手段】
上記目的を達成するために、この発明の電気掃除機は、掃除機本体の吸込口から電動送風機の吸気口に至る風路中に形成された負圧室部内に設けられ吸込口から吸引される空気と塵埃とを分離する塵埃分離部と、負圧室部と区画され塵埃分離部によって分離された塵埃を捕集する集塵部とを備え、塵埃分離部は、一端開口が吸込口に連通し他端開口が案内管を介して集塵部に連通すると共に周面に第１フィルタが形成された筒状の通路を有し、通路内の空気を第１フィルタを介して電動送風機に吸い込むと共に、通路内の塵埃を通路の他端開口から案内管を介して集塵部に集塵する電気掃除機であって、集塵部を区画形成する上壁には、この上壁を上下方向に貫通し前記電動送風機の吸気口に連通する通気開口を設け、該通気開口には第２フィルタを取り付けたことを特徴としている。


【手続補正３】
【補正対象書類名】明細書
【補正対象項目名】００２５
【補正方法】変更
【補正の内容】
【００２５】
さらに、管部６２の周壁には複数の開口６４が全周に亘って一様に設けられており、この開口６４には、図５に示すようにネットフィルタ（第１フィルタ）Ｆ２が取り付けられている。